Podtech/llm-jp-corpus-v4-ja_patent huggingface dataset:
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
反応ガスが供給されて発電を行なう燃料電池と、
前記燃料電池の温度を検出する温度検出手段と、
前記燃料電池の暖機を促進するように制御する暖機促進制御部と、
前記燃料電池の暖機の完了判断を行なう暖機完了判断部と、を有し、
前記暖機完了判断部により暖機が完了したと判断されるまで、前記暖機促進制御部によって暖機促進制御を行なう燃料電池システムにおいて、
前記温度検出手段により検出された前記燃料電池の起動時の温度に基づいて、起動時の前記燃料電池の温度が低いほど暖機完了の判断が遅れるように暖機完了判断閾値を設定する暖機完了判断閾値設定部をさらに有することを特徴とする燃料電池システム。
【請求項２】
反応ガスが供給されて発電を行なう燃料電池と、
前記燃料電池の温度を検出する温度検出手段と、
前記燃料電池の暖機を促進するように制御する暖機促進制御部と、
前記燃料電池の暖機完了を判断する暖機完了判断部と、を有し、
前記暖機完了判断部により暖機完了が判断されるまで、前記暖機促進制御部によって暖機促進制御を行なう燃料電池システムにおいて、
前記温度検出手段により検出された前記燃料電池の起動時の温度に基づき、暖機完了判断閾値を設定する暖機完了判断閾値設定部を備え、
前記暖機完了判断閾値設定部は、起動時の前記燃料電池の温度が低いほど暖機完了判断閾値を高く設定することを特徴とする燃料電池システム。
【請求項３】
前記燃料電池の起動からの積算発電量を算出する積算発電量算出部を有し、
前記暖機完了判断閾値設定部により設定される暖機完了判断閾値は前記積算発電量により設定され、
前記積算発電量算出部により算出された積算発電量が前記暖機完了判断閾値設定部により設定された所定積算発電量になったときに前記暖機完了判断部により暖機が完了したと判断されることを特徴とする請求項１または請求項２に記載の燃料電池システム。
【請求項４】
前記暖機完了判断閾値設定部により設定される暖機完了判断閾値は前記燃料電池の温度により設定され、
前記温度検出手段により検出された前記燃料電池の温度が前記暖機完了判断閾値設定部により設定された所定温度になったときに前記暖機完了判断部により暖機が完了したと判断されることを特徴とする請求項１または請求項２に記載の燃料電池システム。
【手続補正２】
【補正対象書類名】明細書
【補正対象項目名】０００５
【補正方法】変更
【補正の内容】
【０００５】
請求項１に係る発明は、反応ガスが供給されて発電を行なう燃料電池と、前記燃料電池の温度を検出する温度検出手段と、前記燃料電池の暖機を促進するように制御する暖機促進制御部と、前記燃料電池の暖機の完了判断を行なう暖機完了判断部と、を有し、前記暖機完了判断部により暖機が完了したと判断されるまで、前記暖機促進制御部によって暖機促進制御を行なう燃料電池システムにおいて、前記温度検出手段により検出された前記燃料電池の起動時の温度に基づいて、起動時の前記燃料電池の温度が低いほど暖機完了の判断が遅れるように暖機完了判断閾値を設定する暖機完了判断閾値設定部をさらに有することを特徴とする。
請求項２に係る発明は、反応ガスが供給されて発電を行なう燃料電池と、前記燃料電池の温度を検出する温度検出手段と、前記燃料電池の暖機を促進するように制御する暖機促進制御部と、前記燃料電池の暖機完了を判断する暖機完了判断部と、を有し、前記暖機完了判断部により暖機完了が判断されるまで、前記暖機促進制御部によって暖機促進制御を行なう燃料電池システムにおいて、前記温度検出手段により検出された前記燃料電池の起動時の温度に基づき、暖機完了判断閾値を設定する暖機完了判断閾値設定部を備え、前記暖機完了判断閾値設定部は、起動時の前記燃料電池の温度が低いほど暖機完了判断閾値を高く設定することを特徴とする。
【手続補正３】
【補正対象書類名】明細書
【補正対象項目名】０００６
【補正方法】変更
【補正の内容】
【０００６】
それぞれの発明によれば、起動時の燃料電池の温度に基づいて暖機を終了させる閾値を変更するため、暖機時間を適切な時間に設定することができ、暖機促進のためのエネルギの無駄遣いや、暖機が完了していないにも拘らず（まだ暖機が必要であるにも拘らず）暖機を早期に終了させてしまうといった不具合を防止することが可能になる。なお、燃料電池の温度とは、燃料電池自体の温度だけではなく、燃料電池周辺の代替可能な温度を含む趣旨である。また、暖機が完了とは、これ以上の暖機が不要といった意味を含むものである。
【手続補正４】
【補正対象書類名】明細書
【補正対象項目名】０００７
【補正方法】変更
【補正の内容】
【０００７】
請求項３に係る発明は、前記燃料電池の起動からの積算発電量を算出する積算発電量算出部を有し、前記暖機完了判断閾値設定部により設定される暖機完了判断閾値は前記積算発電量により設定され、前記積算発電量算出部により算出された積算発電量が前記暖機完了判断閾値設定部により設定された所定積算発電量になったときに前記暖機完了判断部により暖機が完了したと判断されることを特徴とする。
【手続補正５】
【補正対象書類名】明細書
【補正対象項目名】０００９
【補正方法】変更
【補正の内容】
【０００９】
請求項４に係る発明は、前記暖機完了判断閾値設定部により設定される暖機完了判断閾値は前記燃料電池の温度により設定され、前記温度検出手段により検出された前記燃料電池の温度が前記暖機完了判断閾値設定部により設定された所定温度になったときに前記暖機完了判断部により暖機が完了したと判断されることを特徴とする。
【手続補正書】
【提出日】平成21年1月7日(2009.1.7)
【手続補正１】
【補正対象書類名】明細書
【補正対象項目名】００７６
【補正方法】変更
【補正の内容】
【００７６】
カラーフィルタ１７２Ｒは、インテグレータロッド１６０からの照明光束のうち、赤の波長領域の光を透過し、他の波長領域の光を反射又は吸収することにより、赤色光成分のみを透過するものである。同様に、カラーフィルタ１７２Ｇ，１７２Ｂは、それぞれ、インテグレータロッド１６０からの照明光束のうち、緑又は青の波長領域の光を透過し、他の波長領域の光を反射又は吸収することにより、緑色光成分又は青色光成分のみを透過するものである。カラーフィルタ１７２Ｒ，１７２Ｇ，１７２Ｂは、例えば、誘電体多層膜や、塗料を用いて形成されたフィルタ板などを好適に用いることができる。４つの扇形領域において、カラーフィルタ１７２Ｒ，１７２Ｇ，１７２Ｂ以外の部分は、透光領域１７２Ｗとなっており、インテグレータロッド１６０からの光がそのまま通過できるようになっている。この透光領域１７２Ｗにより、投写画像中の輝度を上げることができ、投写画像の明るさを確保することができる。
【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
第１のコンピュータおよび第２のコンピュータを用いて、患者に対して施与されるべき薬物治療が正しいかどうかを証明するための方法であって、該第１のコンピュータ、該第２のコンピュータは記録プロセッサを有し、該方法は、
遠隔位置において第１のコンピュータに、第１のソースからの患者識別子、および第１の薬物識別子を提供することにより、薬物治療を患者と関連づけるステップであって、該第１の薬物識別子が該患者識別子を含むステップと、
遠隔位置において、該第２のコンピュータから患者のアイデンティティに関連する情報にアクセスするステップと、
第２のソースからの第２の薬物識別子を第２のコンピュータに入力するステップであって、該第２の薬物識別子が該患者識別子を含み、該第２のコンピュータが患者のアイデンティティ、薬物治療、および医療デバイスに関連する情報にアクセスするステップであって、該薬物治療は治療タイプを有する、ステップと、
該第２のプロセッサが該薬物治療は該患者に以前に関連付けられているか否かを判定するステップと、
該第２のコンピュータが、該薬物治療が該患者に以前に関連付けられていない場合、第１のエラー信号を提供するステップと、
該第２のコンピュータから該医療デバイスのアイデンティティに関連する情報にアクセスするステップと、
該第１および第２の薬物識別子が同じ患者識別子を含む場合、該第１のコンピュータから該医療デバイスに複数の動作パラメータを提供するステップと、
該第１のプロセッサが、該医療デバイスの該複数の動作パラメータが該薬物治療と一致するか否かを判定するステップであって、該動作パラメータは、中央位置から提供され、該動作パラメータは該第２のコンピュータを通過することなく該医療デバイスに提供される、ステップと、
該医療デバイスの該動作パラメータが該薬物治療と一致しない場合、該第１のコンピュータがエラー信号を提供するステップであって、第２のエラー信号が該第１のエラー信号とは異なる、ステップとを
包含する方法。
【請求項２】
前記医療デバイスは、輸液ポンプである、請求項１に記載の方法。
【請求項３】
前記第１のコンピュータに薬物識別子を提供する工程は、入力デバイスによって生成される信号をコンピュータ読み出し可能媒体フォーマットに変換する工程を含む、請求項１に記載の方法。
【請求項４】
前記患者識別子は識別子のグループのうちの１つであり、該識別子のグループは、患者の名前、患者の社会保障番号、患者の血液型、患者の住所、患者のアレルギー、病院の患者ＩＤ番号、病院でのベッドの位置、および患者の親族の名前からなる、請求項１に記載の方法。
【請求項５】
前記動作パラメータは、動作パラメータのグループのうちの１つであり、該動作パラメータグループは、単位時間当たりの薬物の流れ、薬物の量、服用単位、服用持続時間、服用容量、薬の名前、用量単位、およびモニタリング制限からなる、請求項１に記載の方法。
【請求項６】
第２のコンピュータに入力するステップは、入力デバイスによって生成される信号をコンピュータ読み出し可能媒体フォーマットに変換する工程を含む、請求項１に記載の方法。
【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
ワイヤレスネットワークを介して通信を行うワイヤレス装置上で実行されるアプリケーションの処理方法であって、
前記ワイヤレス装置が、ワイヤレスネットワークを介してサーバから、前記アプリケーションと、一組の許可と、配布元の身元を確認するのに使用される識別情報とを含む送信データを受信することであって、前記一組の許可は、前記サーバが前記アプリケーションを解析することによって、前記アプリケーションが、前記ワイヤレス装置におけるアプリケーション実行環境に合致して決められる一組の所定の基準における各基準を満足することが認証されたときに付与されるものであり、さらに前記一組の許可は、前記ワイヤレス装置上での前記アプリケーションの実行を許可すべきか否かについて判別するのに用いられる一組の認証フラグを含み、各認証フラグは、前記アプリケーションが前記認証にパスしたか否かに応じてセットされることと、
前記ワイヤレス装置が、前記一組の認証フラグがセットされているならば、アプリケーションの実行を許可することが記述された規則を前記一組の許可に適用することに基づいて前記アプリケーションの実行を許可するか否かを決定することであって、前記規則は前記ワイヤレス装置内に予め記憶されていることと、
前記アプリケーションの実行が許可されたならば、前記ワイヤレス装置が当該アプリケーションを実行することと、
前記アプリケーションの実行が許可されないならば、前記ワイヤレス装置が当該アプリケーションを前記ワイヤレス装置から除去することと、を具備する方法。
【請求項２】
前記ワイヤレス装置が前記アプリケーションが前記送信中に変更されたか否かを決定することと、
前記アプリケーションが前記送信中に変更されたと決定されたならば、前記ワイヤレス装置が前記アプリケーションを前記ワイヤレス装置から除去することと、をさらに具備する請求項１に記載の方法。
【請求項３】
ワイヤレスネットワークを介して通信を行うとともに、アプリケーションを実行可能なワイヤレス装置であって、
前記アプリケーションと、一組の許可と、配布元の身元を確認するのに使用される識別情報とを受信するためのワイヤレスインタフェースであって、前記一組の許可は、前記サーバが前記アプリケーションを解析することによって、前記アプリケーションが、前記ワイヤレス装置におけるアプリケーション実行環境に合致して決められる一組の所定の基準における各基準を満足することが認証されたときに付与されるものであり、さらに前記一組の許可は、前記ワイヤレス装置上での前記アプリケーションの実行を許可すべきか否かについて判別するのに用いられる一組の認証フラグを含み、各認証フラグは、前記アプリケーションが前記認証にパスしたか否かに応じてセットされるワイヤレスインタフェースと、
前記ワイヤレスインタフェースに結合されたコンピュータプラットフォームであって、前記一組の認証フラグがセットされているならば、アプリケーションの実行を許可することが記述された規則を記憶するための第１の記憶部と、前記アプリケーションと、前記一組の許可と、前記識別情報とを記憶するための第２の記憶部とを具備するコンピュータプラットフォームと、を具備し、
前記コンピュータプラットフォームは、前記規則を前記一組の許可に適用することに基づいて前記アプリケーションの実行を許可するか否かを決定し、前記アプリケーションが実行可能であるならば当該アプリケーションを実行し、前記アプリケーションが実行できないならば当該アプリケーションを前記ワイヤレス装置から除去するように構成されており、
前記アプリケーションは、前記ワイヤレス装置と前記ワイヤレスネットワーク間で前記アプリケーションを処理するためのメッセージのやり取りを行う無線通信を実行する行為から独立しているワイヤレス装置。
【請求項４】
ワイヤレスネットワークを介して通信を行うとともに、アプリケーションを実行可能なワイヤレス装置であって、
前記アプリケーションと、一組の許可と、配布元の身元を確認するのに使用される識別情報とを受信するためのワイヤレスインタフェース手段であって、前記一組の許可は、前記サーバが前記アプリケーションを解析することによって、前記アプリケーションが、前記ワイヤレス装置におけるアプリケーション実行環境に合致して決められる一組の所定の基準における各基準を満足することが認証されたときに付与されるものであり、さらに前記一組の許可は、前記ワイヤレス装置上での前記アプリケーションの実行を許可すべきか否かについて判別するのに用いられる一組の認証フラグを含み、各認証フラグは、前記アプリケーションが前記認証にパスしたか否かに応じてセットされるワイヤレスインタフェース手段と、
前記ワイヤレスインタフェース手段に結合されたコンピュータプラットフォームであって、前記一組の認証フラグがセットされているならば、アプリケーションの実行を許可することが記述された規則を記憶するための第１の記憶手段と、
前記アプリケーションと、前記一組の許可と、前記識別情報とを記憶するための第２の記憶手段と、
前記規則を前記一組の許可に適用することに基づいて前記アプリケーションの実行を許可するか否かを決定する決定手段であって、前記アプリケーションが実行可能であったならば当該アプリケーションを実行し、前記アプリケーションが実行可能でなかったならば当該アプリケーションを除去する決定手段と、を具備し、
前記アプリケーションは、前記ワイヤレス装置と前記ワイヤレスネットワーク間で前記アプリケーションを処理するためのメッセージのやり取りを行う無線通信を実行する行為から独立しているワイヤレス装置。
【手続補正書】
【提出日】平成20年12月18日(2008.12.18)
【手続補正１】
【補正対象書類名】特許請求の範囲
【補正対象項目名】請求項１
【補正方法】変更
【補正の内容】
【請求項１】
ガスタービンエンジン用の強化マトリクス複合材部品を形成するための型ツール（１００）であって、この型ツールは、
第１の端部と、第２の端部と、複合材プリフォーム（３０１）の第１の部分を収容できる本体表面とを備える本体（１０５）と、
前記本体（１０５）の第１の端部に解除可能に固定され、前記本体表面に垂直に配置された実質的に平面の表面を有する第１のエンドプレート（１０１）と、
前記本体（１０５）の第２の端部に取り付けられ、前記本体表面に垂直な実質的に平面の表面を有する第２のエンドプレート（１０３）と、
前記第１のエンドプレート（１０１）の第１の表面に取り付けられ、前記本体表面に隣接して配置される少なくとも１つの第１のプレート（１０７、１１９）を備えるプレート（１０７）の第１のセット（１１９）と、
前記第２のエンドプレート（１０３）の第１の表面に取り付けられ、前記本体（１０５）表面に隣接して配置される少なくとも１つの第２のプレート（１０７、１２１）を備えるプレートの第２のセット（１０７、１２１）とを具備し、
前記第１のプレート（１０７、１２１）及び前記第２のプレート（１０７、１２１）は解除可能に固定されていると共に、実質的に平面の第１のプレート（１０７、１１９）表面と実質的に平面の第２のプレート（１０７、１１９）表面とを備えており、
前記第１のプレート（１０７、１１９）及び前記第１のエンドプレート（１０１）は、前記第１のプレート（１０７、１１９）及び前記第１のエンドプレート（１０１）によって境界が定められた第１のキャビティ（２０３）を含む幾何形状を有し、
前記第２のプレート（１０７、１２１）及び前記第２のエンドプレート（１０３）は、前記第１のプレート（１０７、１１９）及び第１のエンドプレート（１０１）によって境界が定められた第２のキャビティ（２０３）を含む幾何形状を有し、
前記第１及び第２のキャビティ（２０３）が、複合材プリフォーム（３０１）の第２の部分を収容するのに十分な容積を有し、
前記第２のキャビティ（２０３）が、前記第１のキャビティ（２０３）に流体接続しており、
前記型ツールが更に、前記第１のキャビティと流体連通している真空供給源（１１７）を具備する
ことを特徴とする型ツール（１００）。
【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
液体噴射装置における使用後のカートリッジに対して液体を再充填する液体再充填方法であって、
上記使用後のカートリッジ内に残存した液体を抜き取る液体抜取工程と、
上記液体抜取工程で液体を抜き取った後にカートリッジ内に残留する液体の残量が、未使用のカートリッジに充填される液体の全量に対して所定割合以下であるか否かを確認する残量確認工程と、
上記残量確認工程で液体の残量が所定割合以下であることを確認したカートリッジに対して液体を注入する液体注入工程と、を備えたことを特徴とするカートリッジの液体再充填方法。
【請求項２】
上記残量確認工程における所定割合は６容積％である請求項１記載のカートリッジの液体再充填方法。
【請求項３】
上記カートリッジは、カートリッジが液体噴射装置に対して液体を供給する液体供給口に対する液体の供給圧力を制御する圧力制御弁を有し、当該圧力制御弁の圧力制御により内部に液体を保持するタイプのカートリッジである請求項１または２記載のカートリッジの液体再充填方法。
【請求項４】
上記液体抜取工程において、上記使用後のカートリッジ内に残存した液体を、上記カートリッジが上記液体噴射装置に対して液体を供給する液体供給口から抜き取る請求項１〜３のいずれか一項に記載のカートリッジの液体再充填方法。
【請求項５】
上記液体注入工程において、上記液体抜取工程で液体を抜き取ったカートリッジに対し上記液体供給口とは別の第２の開口から液体を注入する請求項４記載のカートリッジの液体再充填方法。
【請求項６】
上記第２の開口は、上記圧力制御弁より上流側のインク貯留室に連通する開口である請求項５記載のカートリッジの液体再充填方法。
【請求項７】
液体噴射装置における使用後のカートリッジに対して液体を再充填する液体再充填装置であって、
上記使用後のカートリッジ内に残存した液体を抜き取る液体抜取手段と、
上記液体抜取手段で液体を抜き取った後にカートリッジ内に残留する液体の残量が所定割合以下であるか否かを計量する計量手段と、
上記計量手段で計量した液体の残量が、未使用のカートリッジに充填される液体の全量に対して所定割合以下であるカートリッジに対して液体を注入する液体注入手段と、を備えたことを特徴とするカートリッジの液体再充填装置。
【手続補正２】
【補正対象書類名】明細書
【補正対象項目名】００１５
【補正方法】削除
【補正の内容】
【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
液体噴射装置に装着されるカートリッジに対して液体を充填する液体充填方法であって、
上記カートリッジに対して液体を注入する液体注入工程と、
上記液体注入工程で液体を注入した後、上記カートリッジが液体噴射装置に対して液体を供給する液体供給口を介してカートリッジ内から所定量の液体を吸引する吸引工程と、を備えたことを特徴とするカートリッジの液体充填方法。
【請求項２】
上記カートリッジは、上記液体供給口に対する液体の供給圧力を制御する圧力制御弁を有し、当該圧力制御弁の圧力制御により内部に液体を保持するタイプのカートリッジである請求項１記載のカートリッジの液体充填方法。
【請求項３】
上記吸引工程において、少なくとも上記カートリッジ内の液体供給路のうち上記圧力制御弁から液体供給口までの流路の容積に対応する量の液体を吸引する請求項２記載のカートリッジの液体充填方法。
【請求項４】
上記吸引工程は、吸引工程において液体供給口から吸引する液体量に対応する容量の液体保持部に対し、液体を吸引保持することにより行う請求項１〜３のいずれか一項に記載のカートリッジの液体充填方法。
【請求項５】
上記吸引工程は、上記液体保持部の上流側に設けた開閉弁を閉弁して上記液体保持部に所定の負圧を蓄積した状態から、上記開閉弁を開弁することにより行う請求項４記載のカートリッジの液体充填方法。
【請求項６】
上記カートリッジは液体噴射装置に装着され液体が消費された使用後のカートリッジであり、
上記液体注入工程に先立って上記使用後のカートリッジ内に残存した液体を、上記液体供給口から抜き取る液体抜取工程を備えた請求項１〜５のいずれか一項に記載のカートリッジの液体充填方法。
【請求項７】
上記液体注入工程において、上記液体抜取工程で液体を抜き取った後のカートリッジ内をあらかじめ６００Ｐａ以上３８００Ｐａ以下に減圧した状態で、当該カートリッジに対して液体を注入する請求項６記載の液体充填方法。
【請求項８】
請求項１〜７のいずれか一項に記載の液体充填方法によって液体が充填されたカートリッジ。
【請求項９】
液体噴射装置に装着されるカートリッジに対して液体を充填する液体充填装置であって、
上記カートリッジに対して液体を注入する液体注入手段と、
上記液体注入工程で液体を注入した後、上記カートリッジが液体噴射装置に対して液体を供給する液体供給口を介してカートリッジ内から所定量の液体を吸引する吸引手段と、を備えたことを特徴とするカートリッジの液体充填装置。
【手続補正２】
【補正対象書類名】明細書
【補正対象項目名】００２０
【補正方法】削除
【補正の内容】
【手続補正３】
【補正対象書類名】明細書
【補正対象項目名】００２１
【補正方法】削除
【補正の内容】
【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
中央部分と、それぞれが独立して半径方向および軸線方向に移動可能である第１および第２のショルダ部分と、を有している回転可能なドラムを有し、
前記中央部分は半径方向に広がることが可能であり、前記中央部分は、前記中央部分の幅が調整可能となるようにそれぞれが互いに対して軸線方向に移動可能である第１の半部と第２の半部とをさらに有している、タイヤ組立てドラム。
【請求項２】
前記各ショルダ部分は種々の直径になるように半径方向に広がることが可能であり、かつ、前記中央部分の第１の半部および第２の半部の複数のセグメントは、一緒に回転するように互いに接続されている、請求項１に記載のタイヤ組立てドラム。
【請求項３】
中央部分と、それぞれが独立して半径方向に移動可能である第１および第２のショルダ部分と、を有している回転可能なドラムを有し、前記中央部分は、半径方向に広がることが可能で、かつ軸線方向に移動可能な複数のセグメントを有している、タイヤ組立てドラム。
【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
処理対象ガスに触れ揮発性有機化合物を吸着する吸着体と、該吸着体の一部が触れるように放電を発生させる複数の電極の対と、該電極の対に電圧を印加することでどの前記電極の対で放電を発生させるかを制御する放電制御機構とを備え、前記電極の対が複数のグループに分けられており、異なる前記吸着体の部分が順番に放電に触れるように、前記放電制御機構が前記電極の対のグループごとに電圧を印加するものであり、更に前記吸着体の放電に触れている部分へ流す前記処理対象ガスの流量を前記吸着体の放電に触れていない部分へ流す前記処理対象ガスの流量よりも少なくする流量調整機構とを備えたことを特徴とする揮発性有機化合物処理装置。
【請求項２】
複数の前記電極の対で兼用される前記電極を有することを特徴とする請求項１に記載の揮発性有機化合物処理装置。
【請求項３】
前記電極の対の間に誘電体を配置し、前記電極の対に交流の電圧を印加することを特徴とする請求項１に記載の揮発性有機化合物処理装置。
【請求項４】
処理対象ガスの流れとは逆方向に放電発生時及びその後の所定期間に前記吸着体にガスを流すガス返送機構を備えたことを特徴とする請求項１に記載の揮発性有機化合物処理装置。
【請求項５】
大気中よりも酸素が多いガスまたは酸素を含み大気中よりも窒素が少ないガスの何れかを放電に触れている前記吸着体に供給するガス供給機構を備えたことを特徴とする請求項１に記載の揮発性有機化合物処理装置。
【請求項６】
前記処理対象ガス中での揮発性有機化合物の濃度を計測するＶＯＣ濃度センサを備え、該ＶＯＣ濃度センサで計測された揮発性有機化合物の濃度から前記吸着体が吸着した揮発性有機化合物の量を求め、この吸着した揮発性有機化合物の量が所定値以上になった後に前記放電制御機構が前記電極の対に電圧を印加して放電を発生させることを特徴とする請求項１に記載の揮発性有機化合物処理装置。
【請求項７】
前記処理対象ガス中での揮発性有機化合物の濃度を計測するＶＯＣ濃度センサを備え、該ＶＯＣ濃度センサで計測された揮発性有機化合物の濃度から前記吸着体が吸着した揮発性有機化合物の量を求め、放電開始時点における前記吸着体が吸着した揮発性有機化合物の量に応じて印加電圧、放電電流、放電継続時間の何れか少なくとも一を前記放電制御機構が変化させることを特徴とする請求項１に記載の揮発性有機化合物処理装置。
【請求項８】
前記吸着体が処理対象ガスが流れる所定の径の孔が所定の気孔率で形成されて成る誘電体であり、前記電極の対に交流の電圧を印加することを特徴とする請求項１に記載の揮発性有機化合物処理装置。
【請求項９】
少なくとも第一のガス処理ユニットと第二のガス処理ユニットを備え、前記第一及び第二のガス処理ユニットがそれぞれ、電圧が印加されることで放電を発生させる電極の対と、前記電極の対の間に配置され処理対象ガスに触れ揮発性有機化合物を吸着する吸着体と、異なる前記吸着体が順番に放電に触れるように選択されたガス処理ユニットの前記電極の対へ選択的に電圧の印加を制御する放電制御機構と、放電に触れていない前記吸着体を有するガス処理ユニットに比べて放電に触れている前記吸着体を有するガス処理ユニットへの処理対象ガスの流量を少なくするように前記第一及び第二のガス処理ユニットへ処理対象ガスの流量を調整する流量調整機構とを備えた揮発性有機化合物処理装置。
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
ＩＣがハンダ付けされている表示制御基板を備えるパチンコ機であって、前記表示制御基板には、再利用されたＩＣがハンダ付けされており、また、前記表示制御基板に再利用されたＩＣが配設されていることを示す表示が施されていることを特徴とするパチンコ機。
【請求項２】
ＩＣがハンダ付けされている表示制御基板を備えるパチンコ機であって、前記表示制御基板には、再利用されたＩＣがハンダ付けされており、また、前記再利用されたＩＣには、再利用されたＩＣであることを示す表示が施されていることを特徴とするパチンコ機。
【請求項３】
請求項１または２に記載のパチンコ機であって、再利用された回数を示す表示が施されていることを特徴とするパチンコ機。
【請求項４】
請求項１〜３のいずれかに記載のパチンコ機であって、前記表示制御基板には、前記ＩＣの周囲に、当該ＩＣを取り外す取り外し治具を配置可能なスペースが設けられていることを特徴とするパチンコ機。
【請求項５】
請求項４に記載のパチンコ機であって、前記取り外し治具は、基板に配設されているＩＣに熱風を吹き付けることでＩＣと基板を接続しているハンダを溶融するノズルであり、前記ＩＣの周囲には、前記ノズルを配置可能なスペースが設けられていることを特徴とするパチンコ機。
【手続補正２】
【補正対象書類名】明細書
【補正対象項目名】０００４
【補正方法】変更
【補正の内容】
【０００４】
第１発明は、請求項１に記載されたとおりのパチンコ機である。
請求項１に記載のパチンコ機は、ＩＣがハンダ付けされている表示制御基板を備えるパチンコ機であって、前記表示制御基板には、再利用されたＩＣがハンダ付けされており、また、前記表示制御基板に再利用されたＩＣが配設されていることを示す表示が施されていることを特徴とする。
「再利用されたＩＣが配設されていることを示す表示」の態様としては、表示制御基板に再利用されたＩＣが配設されていることが判別できる態様であればよく、マジックインキ等でマークが付される態様、表示制御基板固有の識別情報として当該表示制御基板に再利用されたＩＣが配設されていることを示す識別情報が印字されたシールが貼付される態様が含まれる。
請求項１に記載のパチンコ機によれば、表示制御基板の外観により、この表示制御基板に再利用されたＩＣが配設されているか否かを判別することができる。
第２発明は、請求項２に記載されたとおりのパチンコ機である。
請求項２に記載のパチンコ機は、ＩＣがハンダ付けされている表示制御基板を備えるパチンコ機であって、前記表示制御基板には、再利用されたＩＣがハンダ付けされており、また、前記再利用されたＩＣには、再利用されたＩＣであることを示す表示が施されていることを特徴とする。
「再利用されたＩＣであることを示す表示」の態様としては、当該ＩＣが再利用されたＩＣであることが判別できる態様であればよく、例えば、マジックインキ等でＩＣのパッケージに付されたマークが付される態様が含まれる。
請求項２に記載のパチンコ機によれば、再利用されたＩＣを区別し易い。
第３発明は、請求項３に記載されたとおりのパチンコ機である。
請求項３に記載のパチンコ機は、請求項１または２に記載のパチンコ機であって、再利用された回数を示す表示が施されていることを特徴とする。
「採用された回数を示す表示」の態様としては、ＩＣが再利用された回数を判別できればよく、マジックインキ等で表示制御基板の表面側に再利用回数を示すマークが付される態様、表示制御基板固有の識別情報として再利用回数を示す識別情報が印字されたシールが貼付される態様が含まれる。また、マジックインキ等でＩＣのパッケージに再利用回数を示すマークが付される態様が含まれる。
請求項３に記載のパチンコ機によれば、ＶＤＰ等のＩＣの再利用回数がわかるので、再利用回数の上限回数が設定されている場合、さらに再利用可能であるか否かを判別するのが容易である。
【手続補正３】
【補正対象書類名】明細書
【補正対象項目名】０００５
【補正方法】変更
【補正の内容】
【０００５】
第４発明は、請求項４に記載されたとおりのパチンコ機である。
請求項４に記載のパチンコ機は、請求項１〜３のいずれかに記載のパチンコ機であって、前記表示制御基板には、前記ＩＣの周囲に、当該ＩＣを取り外す取り外し治具を配置可能なスペースが設けられていることを特徴とする。
請求項４に記載のパチンコ機によれば、表示制御基板に配設されているＩＣを、治具を用いて表示制御基板から容易に取り外すことができる。したがって、ＩＣを容易に再利用することができ、パチンコ機のコストを有効的に低減することができる。また、廃棄物を少なくすることができるので、環境問題に貢献することができる。
第５発明は、請求項５に記載されたとおりのパチンコ機である。
請求項５に記載のパチンコ機は、請求項４に記載のパチンコ機であって、前記取り外し治具は、基板に配設されているＩＣに熱風を吹き付けることでＩＣと基板を接続しているハンダを溶融するノズルであり、前記ＩＣの周囲には、前記ノズルを配置可能なスペースが設けられていることを特徴とする。
「ノズル」は、ＩＣの取り外し装置に設けられ、取り外すＩＣのみに（局所的に）効率良く熱風を吹きつけるために、ＩＣの周囲を囲む囲い形状（例えば、筒型形状）の治具を示す。
請求項５に記載のパチンコ機によれば、再利用するＩＣの周囲には、ＩＣの取り外し装置のノズルを配置可能なスペースが設けられている。したがって、ＩＣを取り外す操作が簡単である。
【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
ジッパー式のスライダー用のスリーブカバーであって、
前記スライダーを囲んでいる側面に沿った上面と、前記側面の端部に沿って内向きにフランジの付いた下面と、を具備するジッパー式のスライダー用のスリーブカバー。
【請求項２】
ジッパー式のスライダーとスリーブカバーとの組立体であって、
前記スリーブカバーが、前記スライダーを囲んでいる側面に沿った上面と、前記側面の端部に沿って内向きにフランジの付いた下面と、を具備するジッパー式のスライダーとスリーブカバーとの組立体。
【手続補正書】
【提出日】平成21年6月29日(2009.6.29)
【手続補正１】
【補正対象書類名】明細書
【補正対象項目名】０００９
【補正方法】変更
【補正の内容】
【０００９】
本発明のデバイスに物質を供給し且つ充填する方法は、実質的な層流の下でチャンバのボディをモールディングするステップと、前記ボディのモールディングと互いに近接して実質的な層流の下で、充填部材によって貫通できる貫通可能領域を備え貫通可能領域は所定の波長でレーザ照射によってそのなかの穿孔を熱で再気密シール可能である熱可塑性部をモールディングするステップと、前記熱可塑性部と前記ボディとを室温に冷却する前に、前記熱可塑性部と前記ボディとを組み立てて常温で無菌シールされるデバイスを形成するステップと、充填部材が前記デバイスの前記チャンバと流体連通するように前記熱可塑性部の前記貫通可能領域を前記充填部材で貫通させるステップと、前記充填部材を通して前記デバイスの前記チャンバに物質を導入するステップと、前記充填部材を熱可塑性部から引き抜くステップと、所定の波長でレーザ照射を前記熱可塑性部の前記貫通可能領域に形成された前記穿孔の上に伝達し、前記穿孔を気密シールするステップと、を含む。
【手続補正２】
【補正対象書類名】特許請求の範囲
【補正対象項目名】全文
【補正方法】変更
【補正の内容】
【特許請求の範囲】
【請求項１】
次のステップを含むデバイスに物質を供給し且つ充填する方法であって、
実質的な層流の下でチャンバのボディをモールディングするステップと、
前記ボディのモールディングと互いに近接して実質的な層流の下で、充填部材によって貫通できる貫通可能領域を備え貫通可能領域は所定の波長でレーザ照射によってそのなかの穿孔を熱で再気密シール可能である熱可塑性部をモールディングするステップと、
前記熱可塑性部と前記ボディとを室温に冷却する前に、前記熱可塑性部と前記ボディとを組み立てて常温で無菌シールされるデバイスを形成するステップと、
充填部材が前記デバイスの前記チャンバと流体連通するように前記熱可塑性部の前記貫通可能領域を前記充填部材で貫通させるステップと、
前記充填部材を通して前記デバイスの前記チャンバに物質を導入するステップと、
前記充填部材を熱可塑性部から引き抜くステップと、
所定の波長でレーザ照射を前記熱可塑性部の前記貫通可能領域に形成された前記穿孔の上に伝達し、前記穿孔を気密シールするステップと、
を含む方法。
【請求項２】
請求項１に記載の方法であって、
組み立てステップは、前記ボディと前記熱可塑性部とを殺菌温度で組み立てる方法。
【請求項３】
請求項１に記載された方法であって、
組み立てステップは、組み立て治具を用いて複数の前記熱可塑性部を複数の前記ボディに組み合わせるか、複数の複数の前記ボディを前記熱可塑性部に組み合わせる方法。
【請求項４】
請求項１に記載された方法であって、
物質は少なくとも食品、化粧品、医薬品の内の１つである方法。
【手続補正書】
【提出日】平成21年6月30日(2009.6.30)
【手続補正１】
【補正対象書類名】特許請求の範囲
【補正対象項目名】請求項５
【補正方法】変更
【補正の内容】
【請求項５】
前記プリンタ制御装置は、さらに前記イメージ展開手段により展開された前記イメージデータを一時的に保存するメモリを有し、
前記制御手段は、前記記憶手段に保存されている前記印刷データを読み出して、前記イメージ展開手段が前記印刷データに基づいてイメージデータに展開する前に、前記メモリへ該イメージデータを保存可能か否かを判別し、可能と判別される場合は、該印刷データをイメージデータに展開するよう制御する
ことを特徴とする請求項１または３に記載のプリンタ制御装置。
【手続補正２】
【補正対象書類名】特許請求の範囲
【補正対象項目名】請求項６
【補正方法】変更
【補正の内容】
【請求項６】
前記制御手段は、前記記憶手段に保存されている前記印刷データを読み出して、前記イメージ展開手段が前記印刷データに基づいてイメージデータに展開する前に、前記メモリへ該イメージデータを保存可能か否かを判別し、可能と判別される場合は、該印刷データをイメージデータに展開するよう制御する
ことを特徴とする請求項２に記載のプリンタ制御装置。
【手続補正３】
【補正対象書類名】特許請求の範囲
【補正対象項目名】請求項９
【補正方法】変更
【補正の内容】
【請求項９】
前記記憶手段は、ハードディスク装置で構成される
ことを特徴とする請求項１乃至８のいずれか１項に記載のプリンタ制御装置。
【手続補正書】
【提出日】平成21年8月3日(2009.8.3)
【手続補正１】
【補正対象書類名】特許請求の範囲
【補正対象項目名】請求項４
【補正方法】変更
【補正の内容】
【請求項４】
前記経線および緯線が、１４μｍ〜２０μｍの線径に設定された
請求項１から請求項３のうちのいずれか一項に記載のメッシュ織物。
【手続補正２】
【補正対象書類名】明細書
【補正対象項目名】００２１
【補正方法】変更
【補正の内容】
【００２１】
さらに、上記経線および緯線が、１４μｍ〜２０μｍの線径に設定されたメッシュ織物であるもよい。
【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
樹脂系と、充填材系と、開始剤系とを含む硬化性組成物を含む予成形された歯科製品であって、
前記硬化性組成物は、第１の形状と、第２の形状へと形成されるために十分な展性（ｍａｌｌｅａｂｉｌｉｔｙ）とを有する硬化性自己支持形構造体であり、
第１の形状を有する前記硬化性自己支持形構造体は、約１５℃から３８℃の温度で第２の形状へと形成されるために十分な展性（ｍａｌｌｅａｂｉｌｉｔｙ）を有する、予成形された歯科製品。
【請求項２】
前記硬化性自己支持形構造体は、自立時に、少なくとも約２週間、室温で寸法安定性である請求項１に記載の成形された予成形された歯科製品。
【請求項３】
予成形クラウン、予成形インレー、予成形オンレー、予成形ブリッジ、予成形ベニア、予成形顎顔面補綴、予成形歯科矯正装置、予成形の歯の複製又は予成形の歯スプリントである請求項１又は２に記載の予成形された歯科用製品。
【請求項４】
１又は２以上の予成形された歯科製品と、前記予成形された歯科製品を包むパッケージとを含む歯科製品系であって、
前記予成形された歯科製品は、樹脂系と、充填材系と、開始剤系とを含む硬化性組成物を含み、
前記硬化性組成物は、半完成の第１の形状を有する硬化性自己支持形構造体であり、
前記硬化性自己支持形構造体は、約１５℃から３８℃の温度で前記半完成の第１の形状と実質的に類似する第２の形状へと形成されるために十分な展性（ｍａｌｌｅａｂｌe）を有する、歯科製品系。
【請求項５】
樹脂系と、充填材系と、開始剤系とを含む硬化性自己支持形組成物を含み、前記硬化性自己支持形組成物が、半完成の第１の形状を有する、硬化性、自己支持形、展性（ｍａｌｌｅａｂｌe）の構造体である歯科製品を提供し、
半完成の第１の形状を有する前記硬化性自己支持形展性構造体を患者に適合する第２の形状へと形成し、
前記第２の形状を有する前記硬化性自己支持形展性構造体を硬化させて歯科製品を形成する、
歯科製品の使用方法。
【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
１-｛[(α-イソブタノイルオキシエトキシ)カルボニル]アミノメチル｝-１-シクロヘキサン酢酸の結晶及び医薬として許容される担体を含む医薬組成物であって、当該１-｛[(α-イソブタノイルオキシエトキシ)カルボニル]アミノメチル｝-１-シクロヘキサン酢酸の結晶が、Ｃｕ Ｋα放射線を用いた粉末Ｘ線回折図において、７.０°±０.３°、８.２°±０.３°、１０.５°±０.３°、１２.８°±０.３°、１４.９°±０.３°、及び１６.４°±０.３°の位置に特徴的な吸収ピークを有する、前記医薬組成物。
【請求項２】
前記１-｛[(α-イソブタノイルオキシエトキシ)カルボニル]アミノメチル｝-１-シクロヘキサン酢酸の結晶が、図１に示されるＣｕＫα放射線を用いた粉末Ｘ線回折図を有する、請求項１に記載の医薬組成物。
【請求項３】
前記１-｛[(α-イソブタノイルオキシエトキシ)カルボニル]アミノメチル｝-１-シクロヘキサン酢酸の結晶が、５℃/分のスキャン速度での示差走査熱量測定により測定した場合に６３℃〜６４℃の融点範囲を有する、請求項１又は２に記載の医薬組成物。
【請求項４】
前記１-｛[(α-イソブタノイルオキシエトキシ)カルボニル]アミノメチル｝-１-シクロヘキサン酢酸の結晶が、ＣｕＫαを用いた粉末Ｘ線回折において、１７．９°±０．３°の位置に特徴的な吸収ピークを有する、請求項１に記載の医薬組成物。
【請求項５】
前記１-｛[(α-イソブタノイルオキシエトキシ)カルボニル]アミノメチル｝-１-シクロヘキサン酢酸の結晶が、ＣｕＫαを用いた粉末Ｘ線回折において、１８．１°±０．３°の位置に特徴的な吸収ピークを有する、請求項１又は４に記載の医薬組成物。
【請求項６】
前記１-｛[(α-イソブタノイルオキシエトキシ)カルボニル]アミノメチル｝-１-シクロヘキサン酢酸の結晶が、ＣｕＫαを用いた粉末Ｘ線回折において、１８．９°±０．３°の位置に特徴的な吸収ピークを有する、請求項１、４又は５のいずれか一項に記載の医薬組成物。
【請求項７】
前記１-｛[(α-イソブタノイルオキシエトキシ)カルボニル]アミノメチル｝-１-シクロヘキサン酢酸の結晶が、ＣｕＫαを用いた粉末Ｘ線回折において、２０．９°±０．３°の位置に特徴的な吸収ピークを有する、請求項１、４〜６のいずれか一項に記載の医薬組成物。
【請求項８】
前記１-｛[(α-イソブタノイルオキシエトキシ)カルボニル]アミノメチル｝-１-シクロヘキサン酢酸の結晶が、ＣｕＫαを用いた粉末Ｘ線回折において、２３．３°±０．３°の位置に特徴的な吸収ピークを有する、請求項１、４〜７のいずれか一項に記載の医薬組成物。
【請求項９】
前記１-｛[(α-イソブタノイルオキシエトキシ)カルボニル]アミノメチル｝-１-シクロヘキサン酢酸の結晶が、ＣｕＫαを用いた粉末Ｘ線回折において、２５．３°±０．３°の位置に特徴的な吸収ピークを有する、請求項１、４〜８のいずれか一項に記載の医薬組成物。
【請求項１０】
前記１-｛[(α-イソブタノイルオキシエトキシ)カルボニル]アミノメチル｝-１-シクロヘキサン酢酸の結晶が、ＣｕＫαを用いた粉末Ｘ線回折において、２６．６°±０．３°の位置に特徴的な吸収ピークを有する、請求項１、４〜９のいずれか一項に記載の医薬組成物。
【請求項１１】
前記１-｛[(α-イソブタノイルオキシエトキシ)カルボニル]アミノメチル｝-１-シクロヘキサン酢酸の結晶が、ＣｕＫαを用いた粉末Ｘ線回折において、１７．９°±０．３°、１８．９°±０．３°、２０．９°±０．３°、２３．３°±０．３°、２５．３°±０．３°、及び２６．６°±０．３°の位置に特徴的な吸収ピークを有する、請求項１に記載の医薬組成物。
【請求項１２】
前記１-｛[(α-イソブタノイルオキシエトキシ)カルボニル]アミノメチル｝-１-シクロヘキサン酢酸の結晶が、ＣｕＫαを用いた粉末Ｘ線回折において、１８．１°±０．３°、１８．９°±０．３°、２０．９°±０．３°、２３．３°±０．３°、２５．３°±０．３°、及び２６．６°±０．３°の位置に特徴的な吸収ピークを有する、請求項１に記載の医薬組成物。
【請求項１３】
前記１-｛[(α-イソブタノイルオキシエトキシ)カルボニル]アミノメチル｝-１-シクロヘキサン酢酸の結晶が、ＣｕＫαを用いた粉末Ｘ線回折において、１７．９°±０．３°、１８．１°±０．３°、１８．９°±０．３°、２０．９°±０．３°、２３．３°±０．３°、２５．３°±０．３°、及び２６．６°±０．３°の位置に特徴的な吸収ピークを有する、請求項１に記載の医薬組成物。
【請求項１４】
経口徐放性剤形である、請求項１〜１３のいずれか一項に記載の医薬組成物。
【請求項１５】
カプセル形態である、請求項１４に記載の医薬組成物。
【請求項１６】
錠剤又はピル形態である、請求項１４に記載の医薬組成物。
【請求項１７】
０．５重量％未満のγラクタムを含む請求項１〜１６のいずれか一項に記載の医薬組成物。
【請求項１８】
患者におけるてんかん、うつ病、不安症、精神疾患、脱力発作、運動機能低下症、頭蓋障害、神経変性疾患、パニック、疼痛、炎症性疾患、不眠症、胃腸疾患、又はエタノールの禁断症状の治療又は予防のための、請求項１〜１７のいずれか一項に記載の医薬組成物。
【請求項１９】
前記疼痛が、神経性疼痛、筋肉痛又は骨格痛である、請求項１８に記載の医薬組成物。
【請求項２０】
以下の：
１-｛[(α-イソブタノイルオキシエトキシ)カルボニル]アミノメチル｝-１-シクロヘキサン酢酸の結晶の種結晶と１-｛[(α-イソブタノイルオキシエトキシ)カルボニル]アミノメチル｝-１-シクロヘキサン酢酸の溶液を組み合わせて、混合物を形成し；
当該混合物から１-｛[(α-イソブタノイルオキシエトキシ)カルボニル]アミノメチル｝-１-シクロヘキサン酢酸の結晶を取得し；そして
当該１-｛[(α-イソブタノイルオキシエトキシ)カルボニル]アミノメチル｝-１-シクロヘキサン酢酸の結晶を、医薬として許容される担体と組み合わせる
を含む、請求項１〜１９のいずれか一項に記載の医薬組成物の製造方法。
【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
陽極と、
陰極とで、少なくとも一層の機能層を挟んだ有機エレクトロルミネッセント素子において、
前記機能層は、前記陽極上に形成されたホール注入層と、少なくとも発光機能を有した発光層と、前記ホール注入層に対向するように、前記発光機能を有した層の上に形成された電子注入層とで構成され、
前記ホール注入層および電子注入層を、共に遷移金属酸化物層で構成するとともに、
前記陽極を、前記発光層よりも仕事関数の小さい金属または金属合金で構成した有機エレクトロルミネッセント素子。
【請求項２】
請求項１に記載の有機エレクトロルミネッセント素子であって、
前記陽極は、透光性の基板上に形成されたアルミニウムまたはアルミニウム合金層である有機エレクトロルミネッセント素子。
【請求項３】
請求項１に記載の有機エレクトロルミネッセント素子であって、
前記陽極は、透光性の基板上に形成された銀または銀合金層である有機エレクトロルミネッセント素子。
【請求項４】
請求項１乃至３のいずれかに記載の有機エレクトロルミネッセント素子であって、
前記発光機能を有した層はデンドリマー構造をもつ少なくとも１種類の高分子物質からなる発光機能を有した層を含む有機エレクトロルミネッセント素子。
【請求項５】
請求項１乃至４のいずれかに記載の有機エレクトロルミネッセント素子であって、
前記機能層は少なくとも１種類のバッファ層を含む有機エレクトロルミネッセント素子。
【請求項６】
請求項５に記載の有機エレクトロルミネッセント素子であって、
前記バッファ層が高分子層で構成される有機エレクトロルミネッセント素子。
【請求項７】
請求項１乃至６のいずれかに記載の有機エレクトロルミネッセント素子であって、
前記遷移金属の酸化物層が、モリブデン酸化物を含む電荷注入層である有機エレクトロルミネッセント素子。
【請求項８】
請求項１乃至７のいずれかに記載の有機エレクトロルミネッセント素子であって、
前記遷移金属の酸化物層が、タングステン酸化物を含む電荷注入層である有機エレクトロルミネッセント素子。
【請求項９】
請求項１乃至７のいずれかに記載の有機エレクトロルミネッセント素子であって、
前記遷移金属の酸化物層が、バナジウム酸化物を含む電荷注入層である有機エレクトロルミネッセント素子。
【請求項１０】
請求項１乃至９のいずれかに記載の有機エレクトロルミネッセント素子であって、
前記陽極は、複数に分割形成されており、
前記遷移金属の酸化物層が、前記複数の陽極を一体的に覆うように形成されホール注入層を構成した有機エレクトロルミネッセント素子。